(57)【要約】【課題】本発明の目的は、ＩＣチップ自らが加算または減算を通じて情報を書き換えることができる交換部品システムを提供することにある。【解決手段】増加傾向または減少傾向が備わる数量情報Ｒａを記憶し、数量情報Ｒａに傾向変化を与えるとともに、数量情報Ｒａの傾向変化に従う変化値Ｄ、Ｒの受信に応じて、変化値Ｄ、Ｒを、数量情報Ｒａに加算または数量情報Ｒａから減算する傾向変化反映手段を提供するＩＣチップ部１０を備えたカートリッジ１を利用する交換部品利用手段と、変化値Ｄ、ＲをＩＣチップ部１０に送信する変化値送信手段を備えることを特徴とする。【選択図】図１
2015110326.tif 000002
【特許請求の範囲】
【請求項１】
識別情報（ＩＤ）および消費量、残量、消耗量などの数値情報（Ｒａ）を記憶するＩＣチップ（１０）を備えた交換部品（１）を用いる装置（２）を構成し、
前記装置（２）は、前記数値情報（Ｒａ）に対し加算または減算を実施する値（Ｄ、Ｒ）を求め前記ＩＣチップ（１０）に送信し、
前記ＩＣチップ（１０）は、前記値（Ｄ、Ｒ）の受信に応じて、前記値（Ｄ、Ｒ）が前記数値情報（Ｒａ）を改ざんしない範囲の数値の際に、前記数値情報（Ｒａ）に対し前記値（Ｄ、Ｒ）を前記加算または前記減算することを特徴とする交換部品システム。
【請求項２】
前記装置（２）は、前記値（Ｄ、Ｒ）の送信を利用して、前記交換部品（１）が正規品か否かを判定することを特徴とする請求項１に記載の交換部品システム。
【請求項３】
前記交換部品（１）は、胚性幹細胞、人工多能性幹細胞などの材料を収納するカートリッジであり、
前記装置（２）は、再生医療に利用する臓器を製作することを特徴とする請求項１または２に記載の交換部品システム。
【請求項４】
請求項１に記載のＩＣチップ（１０）。
【請求項５】
請求項１または３に記載の交換部品（１）。
【請求項６】
請求項１ないし３のいずれかに記載の装置（２）。
【発明の詳細な説明】
【技術分野】
【０００１】
本発明は、交換部品システム（カートリッジ）に関する。
【背景技術】
【０００２】
従来、カートリッジシステムが知られている。例えば、特開２００３−３２０６５８号公報の技術は、消耗品カートリッジに組み込まれたＩＣチップ部に数量情報を備え、装置が消耗品の消費量に応じて該数量情報を更新する技術が開示されている。
【先行技術文献】
【特許文献】
【０００３】
【特許文献１】特開２００３−３２０６５８号公報
【発明の概要】
【発明が解決しようとする課題】
【０００４】
ところで、従来のカートリッジシステムは、装置がＩＣチップ部の数量情報を直接書き換える構成であり、それはＩＣリセッターなどで該数量情報を改ざんすることに繋がる及び再生医療分野による臓器の製作でカートリッジの取り違いを防止することができないと言った問題があった。
【０００５】
そこで、本発明の目的は、ＩＣリセッターなどでＩＣチップの数量情報などの情報を改ざんすることができない又はカートリッジの取り違いを防止することができる交換部品システムを提供することにある。
【課題を解決するための手段】
【０００６】
上記課題を解決するため本発明の交換部品システムにおいて、識別情報（ＩＤ）および消費量、残量、消耗量などの数値情報（Ｒａ）を記憶するＩＣチップ（１０）を備えた交換部品（１）を用いる装置（２）を構成し、前記装置（２）は、前記数値情報（Ｒａ）に対し加算または減算を実施する値（Ｄ、Ｒ）を求め前記ＩＣチップ（１０）に送信し、前記ＩＣチップ（１０）は、前記値（Ｄ、Ｒ）の受信に応じて、前記値（Ｄ、Ｒ）が前記数値情報（Ｒａ）を改ざんしない範囲の数値の際に、前記数値情報（Ｒａ）に対し前記値（Ｄ、Ｒ）を前記加算または前記減算することを特徴とする。
【発明の効果】
【０００７】
本発明によれば、交換部品システムは、ＩＣチップ自らが加算または減算を通じて情報を書き換えることができる又はＩＣリセッターなどでＩＣチップの数量情報などの情報を改ざんすることができない又はカートリッジの取り違いを防止することができる。
【図面の簡単な説明】
【０００８】
【図１】実施形態のカートリッジシステムの一例である。
【図２】実施形態のカートリッジシステムの一例である。
【発明を実施するための形態】
【０００９】
以下、本発明の一実施の形態について詳細に説明する。
【００１０】
図１および図２は実施形態のカートリッジシステムの一例である。
例えば、カートリッジシステムは、消耗品（例えば、プリンタのインクやトナー）を収納する又は消耗品（例えば、プリンタのインクリボン）を構成する消耗品カートリッジ、資源や廃棄物を含む回収物（例えば、プリンタのトナー）の回収カートリッジなどの交換部品であり、識別情報ＩＤおよび数量情報Ｒａを記憶するＩＣチップ部１０を備えるカートリッジ１と、カートリッジ１を取付けて、カートリッジ１に対応する識別情報ＩＤと数量情報Ｒｂ（数量情報Ｒａは、数量情報Ｒｂのバックアップの意味合いを持つ）またはカートリッジ１に対応する識別情報ＩＤと更新数量Ｒを記憶する記憶部を備え、消耗品を消耗する、或いは資源や廃棄物を回収する装置２を備える。
【００１１】
例えば、装置２は、ＣＰＵ、ＲＯＭ、ＲＡＭ、記憶部（不揮発性メモリーなど）、入出力部（タッチパネル部、ディスプレイ部など）、ＩＣチップ部１０と通信を行う通信部などを備えるコンピュータ部を備える。
【００１２】
例えば、ＩＣチップ部１０は、ＣＰＵ、ＲＯＭ、ＲＡＭ、識別情報ＩＤおよび数量情報Ｒａを記憶する不揮発性記憶部、装置２と通信を行う通信部などを備える。また、該ＲＯＭにＩＣチップ部１０の制御プログラムを含む。また、識別情報ＩＤを該ＲＯＭに記憶させてもよい。また、接触型または非接触型のＩＣチップを構成し、装置２から制御電源が供給される。
【００１３】
以降の説明では、消耗品カートリッジ１を取付けたプリンタ、３Ｄプリンタなどの印刷装置を装置２とする。また、数量情報Ｒａ、Ｒｂ、更新数量Ｒを消耗品の消費量または残量とする。
【００１４】
次に、図１の処理を説明する。
＜数量情報Ｒａの更新処理＞
起動時、カートリッジ１の取付け時や交換時、印刷処理の終了時（消耗品の使用後）などの装置２は、ＩＣチップ部１０に識別情報ＩＤおよび数量情報Ｒａの問合せ要求を送信する（ステップＳ０１）。ＩＣチップ部１０は、識別情報ＩＤおよび数量情報Ｒａの問合せ要求の受信に応じて（ステップＳ０２）、自己の不揮発性記憶部から識別情報ＩＤおよび数量情報Ｒａを取得し（ステップＳ０３）、識別情報ＩＤおよび数量情報Ｒａを装置２に応答する（ステップＳ０４）。
【００１５】
装置２は、識別情報ＩＤおよび数量情報Ｒａの受信に応じて（ステップＳ０５）、識別情報ＩＤが自己の記憶部に未だ記憶されていない場合に、識別情報ＩＤおよび数量情報Ｒｂ（数量情報Ｒｂの値は数量情報Ｒａとする）のペアを該記憶部に記憶し（ステップＳ０６）数量情報Ｒａの更新処理を終える。
【００１６】
また、識別情報ＩＤが既に該記憶部に記憶されており（これ以降、数量情報Ｒｂおよび数量情報Ｒａは、同一の識別情報ＩＤに対応した該記憶部の数量情報ＲｂおよびＩＣチップ部１０の数量情報Ｒａを指す）、数量情報Ｒａ、Ｒｂが消費量で、数量情報Ｒｂ＜数量情報Ｒａの場合と、数量情報Ｒａ、Ｒｂが残量で、数量情報Ｒａ＜数量情報Ｒｂの場合に、カートリッジ１が他の装置で使用されたものとして、数量情報Ｒｂに数量情報Ｒａの値を記憶させ数量情報Ｒａの更新処理を終える。
【００１７】
また、識別情報ＩＤが既に該記憶部に記憶されており、数量情報Ｒａ、Ｒｂが消費量で、数量情報Ｒｂ＞数量情報Ｒａの場合に、数量情報Ｒｂから数量情報Ｒａを減算した差Ｄを算出し、差ＤをＩＣチップ部１０に送信する、或いは数量情報Ｒａ、Ｒｂが残量で、数量情報Ｒａ＞数量情報Ｒｂの場合に、数量情報Ｒａから数量情報Ｒｂを減算した差Ｄを算出し、差ＤをＩＣチップ部１０に送信する（ステップＳ０７）。ＩＣチップ部１０は、差Ｄの受信に応じて（ステップＳ０８）、数量情報Ｒａが消費量の場合に、差Ｄを数量情報Ｒａに加算する、或いは数量情報Ｒａが残量の場合に、差Ｄを数量情報Ｒａから減算する数量情報Ｒａの更新を行なう（ステップＳ０９）。
【００１８】
＜数量情報Ｒｂの更新処理＞
印刷処理またはパージ処理を実行しようとする装置２は、数量情報Ｒｂが消費量で、数量情報Ｒｂの値が所定の値を超えている場合と、数量情報Ｒｂが残量で、数量情報Ｒｂの値がゼロ以下の場合に、消耗品が尽きたものと見なし、自己のディスプレイ部にカートリッジ１の交換要求メッセージを表示させ、利用者にカートリッジ１を交換させる。
【００１９】
また、数量情報Ｒｂが消費量で、数量情報Ｒｂの値が所定の値以下の場合と、数量情報Ｒｂが残量で、数量情報Ｒｂの値がゼロを超えている場合に、印刷処理またはパージ処理を実行し、それらに掛かった消耗品の使用量を、数量情報Ｒｂが消費量の場合に、数量情報Ｒｂに加算し、数量情報Ｒｂが残量の場合に、数量情報Ｒｂから減算する数量情報Ｒｂの更新を行なう（ステップＳ１０）。
【００２０】
次に、図２の処理を説明する。
＜数量情報Ｒａの更新処理＞
起動時、カートリッジ１の取付け時や交換時、印刷処理の終了時（消耗品の使用後）などの装置２は、ＩＣチップ部１０に識別情報ＩＤおよび数量情報Ｒａの問合せ要求を送信する（ステップＳ１１）。ＩＣチップ部１０は、識別情報ＩＤおよび数量情報Ｒａの問合せ要求の受信に応じて（ステップＳ１２）、自己の不揮発性記憶部から識別情報ＩＤおよび数量情報Ｒａを取得し（ステップＳ１３）、識別情報ＩＤおよび数量情報Ｒａを装置２に応答する（ステップＳ１４）。
【００２１】
装置２は、識別情報ＩＤおよび数量情報Ｒａの受信に応じて（ステップＳ１５）、識別情報ＩＤが自己の記憶部に未だ記憶されていない場合に、識別情報ＩＤおよび値がゼロの更新数量Ｒのペアを該記憶部に記憶し数量情報Ｒａの更新処理を終える（ステップＳ１６）。
【００２２】
また、識別情報ＩＤが該記憶部に既に記憶されており（これ以降、更新数量Ｒおよび数量情報Ｒａは、同一の識別情報ＩＤに対応した該記憶部の更新数量ＲおよびＩＣチップ部１０の数量情報Ｒａを指す）、更新数量Ｒがゼロでない場合に、更新数量ＲをＩＣチップ部１０に送信する（ステップＳ１７）。ＩＣチップ部１０は、更新数量Ｒの受信に応じて（ステップＳ１８）、更新数量Ｒを、数量情報Ｒａが消費量の場合に、数量情報Ｒａに加算し、数量情報Ｒａが残量の場合に、数量情報Ｒａから減算する数量情報Ｒａの更新を行い（ステップＳ１９）、数量情報Ｒａを装置２に送信する（ステップＳ２０）。装置２は、数量情報Ｒａの受信に応じて（ステップＳ２１）、更新数量Ｒの値をゼロに初期化する（ステップＳ２２）。
【００２３】
＜更新数量Ｒの集計処理＞
印刷処理またはパージ処理を実行しようとする装置２は、先ず、数量情報Ｒａが消費量の場合に、更新数量Ｒを数量情報Ｒａに加算した使用済み数量を求め、或いは数量情報Ｒａが残量の場合に、更新数量Ｒを数量情報Ｒａから減算した残存数量を求め、
【００２４】
次に、使用済み数量が所定の値を超えている場合と、残存数量がゼロ以下の場合に、消耗品が尽きたものと見なし、自己のディスプレイ部にカートリッジ１の交換要求メッセージを表示させ、利用者にカートリッジ１を交換させる、或いは使用済み数量が所定の値以下の場合と、残存数量がゼロを超えている場合に、印刷処理またはパージ処理を実行し、それらに掛かった消耗品の使用量を更新数量Ｒに加算する更新数量Ｒの集計を行なう（ステップＳ２３）。
【００２５】
上記実施形態において、消費量は、消耗品の消耗量、資源や廃棄物の回収量の何れかに読み替えることができる。消費量や残量や消耗量や回収量は、インクジェットプリンタのドロップ数などのカウンタ値の場合もある。
【００２６】
装置２の記憶部またはＩＣチップ部１０の不揮発性記憶部は、バッテリーにより、電源遮断後も記憶が保持される構成としてもよい。また、電源遮断後も記憶が保持されることにより、装置２が動作途中に電源が切れ、差Ｄや更新数量ＲをＩＣチップ部１０の数量情報Ｒａに反映しなかった場合でも、電源復帰後にＩＣチップ部１０の数量情報Ｒａに反映させることが可能である。
【００２７】
ＩＣチップ部１０は、ステップＳ０８やステップＳ１８で、受信した差Ｄや更新数量Ｒがマイナスの値の場合に、差Ｄや更新数量Ｒを数量情報Ｒａに反映させない構成とする。このことにより、ＩＣリセッターなどで数量情報Ｒａを初期化することができないため、ＩＣチップ部１０の数量情報ＲａをＩＣリセッターなどで改ざんすることが不可能となる。
【００２８】
装置２は、先ず、ＩＣチップ部１０にマイナスの差Ｄや更新数量Ｒを送信し、次に、ＩＣチップ部１０の数量情報Ｒａに変化がないことを確認し、カートリッジ１を正規品と判定する構成などとしてもよい。
【００２９】
カートリッジ１は、装置２（３Ｄプリンタ）で製作される再生医療の臓器の胚性幹細胞、人工多能性幹細胞などの材料を収納しプリンタヘッド部を含む消耗品カートリッジを構成し、ＩＣチップ部１０は、該材料に対する個人識別情報を記憶する構成とし、３Ｄプリンタ２は、臓器製作の開始〜終了迄の間に同一個人識別情報の消耗品カートリッジ１が利用されていることを確認する手段を備え、消耗品カートリッジ１の交換などで該個人識別情報の異なる消耗品カートリッジ１が混在した取り違いの際に臓器製作を中止する構成とし、カートリッジシステムは、３Ｄプリンタ２を利用した胚性幹細胞、人工多能性幹細胞などによる臓器製作システムを構成してもよい。
【００３０】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置２と同等の作用および効果が得られる。
【００３１】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００３２】
また、インターネット、ＬＡＮ等のネットワークシステムを介して制御プログラムをダウンロードし、インストールして実行するように構成することも可能である。
【符号の説明】
【００３３】
１…カートリッジ，２…装置，１０…ＩＣチップ部，ＩＤ…識別情報，Ｒａ：Ｒｂ…数量情報，Ｄ…差，Ｒ…更新数量
【図１】
2015110326.tif 000003
【図２】
2015110326.tif 000004
【手続補正書】
【提出日】平成26年10月19日(2014.10.19)
【手続補正２】
【補正対象書類名】特許請求の範囲
【補正対象項目名】全文
【補正方法】変更
【補正の内容】
【特許請求の範囲】
【請求項１】
消費量、消耗量、残量などの増加傾向または減少傾向が備わる数値情報（Ｒａ）を記憶するＩＣチップ（１０）を備えた交換部品（１）と、前記交換部品（１）を用いる装置（２）から構成され、
前記装置（２）は、前記数値情報（Ｒａ）に傾向変化を与える変化値（Ｄ、Ｒ）を前記ＩＣチップ（１０）に送信し、
前記ＩＣチップ（１０）は、前記変化値（Ｄ、Ｒ）の受信に応じて、前記数値情報（Ｒａ）に備わる前記傾向変化に従った前記変化値（Ｄ、Ｒ）のみを前記数値情報（Ｒａ）に反映することを特徴とする交換部品システム。
【請求項２】
前記装置（２）は、前記値（Ｄ、Ｒ）の送信を利用して、前記交換部品（１）が正規品か否かを判定することを特徴とする請求項１に記載の交換部品システム。
【請求項３】
前記交換部品（１）は、胚性幹細胞、人工多能性幹細胞などの材料を収納するカートリッジを構成し、
前記装置（２）は、再生医療に利用する臓器を製作することを特徴とする請求項１または２に記載の交換部品システム。
【請求項４】
請求項１に記載のＩＣチップ（１０）。
【請求項５】
請求項１または３に記載の交換部品（１）。
【請求項６】
請求項１ないし３のいずれかに記載の装置（２）。
【手続補正３】
【補正対象書類名】明細書
【補正対象項目名】０００６
【補正方法】変更
【補正の内容】
【０００６】
上記課題を解決するため本発明の交換部品システムにおいて、消費量、消耗量、残量などの増加傾向または減少傾向が備わる数値情報（Ｒａ）を記憶するＩＣチップ（１０）を備えた交換部品（１）と、前記交換部品（１）を用いる装置（２）から構成され、前記装置（２）は、前記数値情報（Ｒａ）に傾向変化を与える変化値（Ｄ、Ｒ）を前記ＩＣチップ（１０）に送信し、前記ＩＣチップ（１０）は、前記変化値（Ｄ、Ｒ）の受信に応じて、前記数値情報（Ｒａ）に備わる前記傾向変化に従った前記変化値（Ｄ、Ｒ）のみを前記数値情報（Ｒａ）に反映することを特徴とする。
【手続補正書】
【提出日】平成27年1月9日(2015.1.9)
【手続補正２】
【補正対象書類名】特許請求の範囲
【補正対象項目名】全文
【補正方法】変更
【補正の内容】
【特許請求の範囲】
【請求項１】
増加傾向または減少傾向が備わる数値情報（Ｒａ）を記憶し、前記数値情報（Ｒａ）に傾向変化を与えるとともに、前記数値情報（Ｒａ）の前記傾向変化に従う変化値（Ｄ、Ｒ）の受信に応じて、前記変化値（Ｄ、Ｒ）を、前記数値情報（Ｒａ）に加算または前記数値情報（Ｒａ）から減算する傾向変化反映手段を提供するＩＣチップ（１０）を備えた交換部品（１）を利用する交換部品利用手段と、
前記変化値（Ｄ、Ｒ）を前記ＩＣチップ（１０）に送信する変化値送信手段を備えることを特徴とする交換部品利用装置（２）。
【請求項２】
増加傾向または減少傾向が備わる数値情報（Ｒａ）を記憶し、前記数値情報（Ｒａ）に傾向変化を与える変化値（Ｄ、Ｒ）の受信に応じて、前記変化値（Ｄ、Ｒ）を、前記数値情報（Ｒａ）に加算または前記数値情報（Ｒａ）から減算する傾向変化反映手段を提供するＩＣチップ（１０）を備えた交換部品（１）を利用する交換部品利用手段と、
前記変化値（Ｄ、Ｒ）を前記ＩＣチップ（１０）に送信する変化値送信手段を備えることを特徴とする交換部品利用装置（２）。
【請求項３】
前記傾向変化反映手段を利用して、前記交換部品（１）が正規品か否かを判定する判定手段を備えることを特徴とする請求項１または２に記載の交換部品利用装置（２）。
【請求項４】
請求項１または２に記載のＩＣチップ（１０）。
【請求項５】
請求項１または２に記載の交換部品（１）。
【請求項６】
コンピュータを、請求項１または２に記載の変化値送信手段または請求項３に記載の判定手段として機能させるための制御プログラム。
【手続補正３】
【補正対象書類名】明細書
【補正対象項目名】０００６
【補正方法】変更
【補正の内容】
【０００６】
上記課題を解決するため本発明の交換部品システムは、増加傾向または減少傾向が備わる数値情報（Ｒａ）を記憶し、前記数値情報（Ｒａ）に傾向変化を与えるとともに、前記数値情報（Ｒａ）の前記傾向変化に従う変化値（Ｄ、Ｒ）の受信に応じて、前記変化値（Ｄ、Ｒ）を、前記数値情報（Ｒａ）に加算または前記数値情報（Ｒａ）から減算する傾向変化反映手段を提供するＩＣチップ（１０）を備えた交換部品（１）を利用する交換部品利用手段と、前記変化値（Ｄ、Ｒ）を前記ＩＣチップ（１０）に送信する変化値送信手段を備えることを特徴とする。